(57)【要約】  回転コネクタ装置（１００）は、固定体（１０）と、回転体（２０）と、コネクタ（５０）と、を備える。コネクタ（５０）の第２空間（Ｓ２）内に設けられた電極（５８）に、ケーブル（３０）の露出導体部（３２）が接続される。ケーブル（３０）は、第２空間（Ｓ２）から第１空間（Ｓ１）に延びてケーブル（３０）の他端が回転体（２０）に接続されるように配置される。コネクタ（５０）は、第２空間（Ｓ２）内にケーブル切断部材（５００）を備える。ケーブル（３０）が回転体（２０）の回転によって引っ張られる場合、コネクタ（５０）の電極（５８）に接続された露出導体部（３２）が断線する前にケーブル切断部材（５００）がケーブル（３０）を切断するように構成されている。
2020071496.tif 000002
【特許請求の範囲】
【請求項１】
固定体と、
前記固定体との間に第１空間を構成するように前記固定体に対して回転軸周りに回転可能に前記固定体に組付けられた回転体と、
前記第１空間に連通する第２空間を内部に有し且つ前記固定体に連結されたコネクタと、を備え、
前記コネクタの前記第２空間内に設けられた電極に、ケーブルの一端に設けられた露出導体部が接続され、
前記ケーブルは、前記第２空間から前記第１空間に延びて前記ケーブルの他端が前記回転体に接続されるように配置され、
前記コネクタは、前記第２空間内にケーブル切断部材を備え、
前記ケーブルが前記回転体の回転によって引っ張られる場合、前記コネクタの電極に接続された前記露出導体部が断線する前に前記ケーブル切断部材が前記ケーブルを切断するように構成された
回転コネクタ装置。
【請求項２】
前記ケーブル切断部材は、前記ケーブルの前記露出導体部以外の接触部に接触するように構成され、
前記コネクタにおいて前記露出導体部が断線するための前記露出導体部にかかる引っ張り荷重は、前記ケーブル切断部材が前記接触部で前記ケーブルを切断するための前記接触部にかかるせん断荷重よりも大きい
請求項１に記載の回転コネクタ装置。
【請求項３】
前記コネクタは、前記回転軸に実質的に直交する方向において、前記固定体に連結し、
前記ケーブルが引っ張られる引っ張り方向は、前記回転軸の周方向に沿い、
前記ケーブル切断部材は、前記引っ張り方向と反対方向に沿うように延伸する壁形状を有し、
前記ケーブル切断部材は、前記ケーブルが前記引っ張り方向に引っ張られると、前記反対方向における先端において、前記ケーブルの前記露出導体部以外の接触部に接触する
請求項１又は２に記載の回転コネクタ装置。
【請求項４】
前記反対方向における前記ケーブル切断部材の前記先端は、前記回転軸に直交する方向に垂直な断面において、鋭角形状を有している
請求項３に記載の回転コネクタ装置。
【請求項５】
前記ケーブルが前記回転体の回転によって引っ張られる場合、前記ケーブル切断部材と接触する接触部を有する前記ケーブルを備え、
前記接触部に切り込みが設けられる
請求項１〜４のいずれか１項に記載の回転コネクタ装置。
【請求項６】
前記固定体は、前記ケーブル切断部材と間隔を空けて配置された壁部を有している、
請求項１〜５のいずれか１項に記載の回転コネクタ装置。
【請求項７】
前記固定体は、前記ケーブルが設けられる配策経路を有しており、
前記配策経路の少なくとも一部は、前記ケーブル切断部材と前記壁部との間に設けられている、
請求項６に記載の回転コネクタ装置。
【請求項８】
前記壁部は、前記回転軸に対して前記ケーブル切断部材の径方向内側に配置されている、
請求項６または７に記載の回転コネクタ装置。
【請求項９】
前記ケーブル切断部材は、前記ケーブルが曲げられた状態で前記第２空間に収容されるように設けられている、
請求項１から８のいずれか１項に記載の回転コネクタ装置。
【発明の詳細な説明】
【技術分野】
【０００１】
本願に開示される技術は、回転コネクタ装置に関する。
【背景技術】
【０００２】
固定体と、固定体に対して回転可能に固定体に組付けられる回転体と、固定体に接続されたコネクタと、固定体と回転体の間の空間に配置されるケーブルと、を備える回転コネクタ装置が知られている（例えば、特許文献１を参照）。特許文献１に記載の回転コネクタ装置では、ケーブルの一端は、固定体に接続され、ケーブルの他端は、回転体に接続される。
【先行技術文献】
【特許文献】
【０００３】
【特許文献１】特開２００４−２２２３６９号公報
【発明の概要】
【発明が解決しようとする課題】
【０００４】
特許文献１に開示された回転コネクタ装置では、ケーブルが引っ張られてケーブルの一端に接続されたコネクタにおいてケーブルが断線すると、電気的な問題が生じる可能性がある。【０００５】
そこで、本願に開示される技術の課題は、回転コネクタ装置の電気的な信頼性を高めることにある。
【課題を解決するための手段】
【０００６】
本願の第１の特徴に係る回転コネクタ装置は、固定体と、固定体との間に第１空間を構成するように固定体に対して回転軸周りに回転可能に固定体に組付けられた回転体と、第１空間に連通する第２空間を内部に有し且つ固定体に連結されたコネクタと、を備える。コネクタの第２空間内に設けられた電極に、ケーブルの一端に設けられた露出導体部が接続される。ケーブルは、第２空間から第１空間に延びてケーブルの他端が回転体に接続されるように配置される。コネクタは、第２空間内にケーブル切断部材を備える。ケーブルが回転体の回転によって引っ張られる場合、コネクタの電極に接続された露出導体部が断線する前にケーブル切断部材がケーブルを切断するように構成されている。【０００７】
この構成では、ケーブルの一端に設けられた露出導体部が断線するのを抑制できる。従って、ケーブルの一端の露出導体部が第１空間及び第２空間において、他の導体と接触して短絡することがない。
また、ケーブル切断部材は、ケーブルの露出導体部以外の接触部に接触するように構成され、コネクタにおいて露出導体部が断線するための露出導体部にかかる引っ張り荷重が、ケーブル切断部材が接触部でケーブルを切断するための接触部にかかるせん断荷重よりも大きくてもよい。【０００８】
この構成では、引っ張り荷重とせん断荷重とを調整するだけでよい。従って、コネクタ内の構造を単純化できる。【０００９】
また、コネクタは、回転軸に実質的に直交する方向において、固定体に連結し、ケーブルが引っ張られる引っ張り方向は、回転軸の周方向に沿い、ケーブル切断部材は、引っ張り方向と反対方向に沿うように延伸する壁形状を有し、ケーブル切断部材は、ケーブルが引っ張り方向に引っ張られると、反対方向における先端において、接触部に接触してもよい。【００１０】
この構成では、せん断荷重が大きくかかる方向と反対方向において壁（ケーブル切断部材）が延伸している。従って、この構成は、ケーブルを接触部でより確実に切断できる。【００１１】
また、反対方向におけるケーブル切断部材の先端は、回転軸に直交する方向に断面されると、鋭角形状を有していてもよい。【００１２】
この構成は、ケーブルを接触部でより確実に切断できる。【００１３】
また、回転コネクタ装置は、接触部に切り込みが設けられたケーブルを備えてもよい。【００１４】
この構成は、ケーブルを接触部でより確実に切断できる。【００１５】
また、固定体は、ケーブル切断部材と間隔を空けて配置された壁部を有している。【００１６】
これにより、ケーブルが切断された際に切断された部分での短絡を抑制できる。【００１７】
また、固定体は、ケーブルが設けられる配策経路を有している。配策経路の少なくとも一部は、ケーブル切断部材と壁部との間に設けられている。【００１８】
これにより、ケーブルが切断された際に切断された部分での短絡をより確実に抑制できる。【００１９】
また、壁部は、回転軸に対してケーブル切断部材の径方向内側に配置されている。【００２０】
これにより、ケーブルが切断された際に切断された部分での短絡をより確実に抑制できる。【００２１】
また、ケーブル切断部材は、ケーブルが曲げられた状態で第２空間に収容されるように設けられている。【００２２】
これにより、ケーブルを効率よく第２空間に収容できる。
【発明の効果】
【００２３】
本願に開示される技術であれば、回転コネクタ装置の電気的な信頼性を高めることができる。
【図面の簡単な説明】
【００２４】
【図１】図１は、実施形態に係る回転コネクタ装置の斜視図である。
【図２】図２は、回転コネクタ装置の下面図である。
【図３】図３は、回転体から固定体を取り外し且つ固定体を第１固定体部と第２固定体部に分解した斜視図である。
【図４】図４は、ケーブルの構成を示す図である。
【図５】図５は、ケーブルの配置を示すための第２固定体部の斜視図である。
【図６】図６は、ケーブルの露出導体部にかかる引っ張り荷重を示すための、第２固定体部の斜視図である。
【図７】図７は、ケーブル切断部材の長さを示すための、第２固定体部の断面図である。
【図８】図８は、ケーブルの接触部にかかるせん断荷重を示すための、第２固定体部の断面図である。
【図９】図９は、ケーブル切断部材の変形例に係るケーブル切断部材を示すための、第２固定体部の断面図である。
【図１０】図１０は、ケーブルの変形例にかかるケーブルの構成を示す図である。
【発明を実施するための形態】
【００２５】
以下、実施形態について図面を参照しながら説明する。図中において同じ符号は、対応するまたは同一の構成を示している。
【００２６】
＜回転コネクタ装置の概要＞
図１は、実施形態に係る回転コネクタ装置１００の斜視図である。図２は、回転コネクタ装置１００の下面図である。図３は、回転体２０から固定体１０を取り外し且つ固定体１０を第１固定体部１２と第２固定体部１４に分解した斜視図である。
【００２７】
図１〜図３に示すように、回転コネクタ装置１００は、固定体１０と回転体２０とを備えている。回転体２０は、回転軸ＡＸ周りに固定体１０に対して回転可能に、固定体１０に組付けられている。回転体２０が固定体１０に組付けられた状態において、固定体１０と回転体２０との間には、第１空間Ｓ１（図５〜図８を参照）が規定される。
【００２８】
ケーブル３０は、第１空間Ｓ１に配置される。ケーブル３０の第１端３０ａは、固定体１０に接続される。ケーブル３０の第２端３０ｂは、回転体２０に接続される。
【００２９】
回転コネクタ装置１００は、例えば、本体と、本体に対して回転可能な操舵部とを備えた移動体（例えば自動車）に用いられる。具体的には、固定体１０は、移動体の本体に取り付けられる。回転体２０は、操舵部に取り付けられる。ケーブル３０の第１端３０ａは、移動体の本体に設けられた電気機器にそれぞれ電気的に接続される。ケーブル３０の第２端３０ｂは、操舵部に設けられた電気機器（例えばスイッチ）に電気的に接続される。これにより、回転コネクタ装置１００は、移動体の本体に設けられた電気機器と操舵部に設けられた電気機器との間で電力または電気的信号を送受信する。ただし、回転コネクタ装置１００は、移動体以外にも用いられてもよい。
【００３０】
＜固定体の構成＞
図１および図３に示すように、固定体１０は、第１固定体部１２と第２固定体部１４とを備えている。第２固定体部１４は、第１固定体部１２の上に配置された状態で、第１固定体部１２と結合している。
【００３１】
図３に示すように、第１固定体部１２は、回転軸ＡＸに実質的に平行な軸方向ＡＤに回転コネクタ装置１００を見たときに、リング形状を有する。第１固定体部１２は、回転軸ＡＸが第１固定体部１２の中心を通過するように配置される。
【００３２】
第２固定体部１４は、外周筒部１４０と、内鍔部１４２とを備えている。外周筒部１４０は、外周筒部１４０の中空部１４０ａが軸方向ＡＤに延伸する筒形状を有している。外周筒部１４０は、軸方向ＡＤにおいて第１固定体部１２の外周１２ａから上方に延伸している。内鍔部１４２は、回転軸ＡＸの径方向において、外周筒部１４０の内周面１４０ｂから延伸している。
【００３３】
＜回転体の構成＞
回転体２０は、環状部材２００と、内周筒部２１０と、を備えている。環状部材２００は、回転コネクタ装置１００を軸方向ＡＤに見たときに、リング形状を有する。環状部材２００は、回転軸ＡＸが環状部材２００の中心を通過するように配置される。環状部材２００は、軸方向ＡＤにおいて下面の縁２００ａが内鍔部１４２に対向するように、配置される。内周筒部２１０は、内周筒部２１０の中空部２１０ａが軸方向ＡＤに延伸するように配置される。内周筒部２１０は、環状部材２００の内周２００ｂから軸方向ＡＤに沿って下方に延びている。内周筒部２１０は、回転軸ＡＸの径方向において、筒形状の外周筒部１４０の内側に配置される。これにより、ケーブル３０が配置される第１空間Ｓ１は、第１固定体部１２、外周筒部１４０、環状部材２００、および内周筒部２１０によって構成されている。換言すれば、ケーブル３０が配置される第１空間Ｓ１は、外周筒部１４０の中空部１４０ａから内周筒部２１０の中空部２１０ａを除いた空間に等しい。
【００３４】
本実施形態では、内周筒部２１０が回転体２０に設けられている。しかし、第１空間Ｓ１を規定するために、内周筒部２１０は、固定体１０に設けられてもよい。また、本実施形態では、回転コネクタ装置１００は、中空部２１０ａを有する形状であったが、回転コネクタ装置１００は、中空部２１０ａを有さなくてもよい。
【００３５】
＜ケーブルの構成＞
図４は、ケーブル３０の構成を示す図である。ケーブル３０は、可撓性を有する。ケーブル３０は、平坦な形状を有する。ケーブル３０は、複数の導体３１と、複数の導体３１を被覆する絶縁性の被覆材３４とを有している。複数の導体３１と被覆材３４とは、一方向に延びている形状を有している。例えば、導体３１は、厚さが１ｍｍ以下のフィルム状の銅からなる。例えば、被覆材３４は、樹脂（例えば軟質塩化ビニル）からなる。ただし、導体３１及び被覆材３４の材質は、ケーブル３０が可撓性を有するのであれば、これらに限らない。
【００３６】
ケーブル３０の第１端３０ａ及び第２端３０ｂにおいて、導体３１は、被覆材３４から露出している。すなわち、導体３１は、ケーブル３０の第１端３０ａおよび第２端３０ｂに設けられた露出導体部３２を有している。ケーブル３０は、第１空間Ｓ１において外周筒部１４０の内周面１４０ｂに沿って巻回される。
【００３７】
なお、図４に示す例では、３本の導体３１がケーブル３０に設けられたが、導体３１の本数は、これに限られない。また、回転コネクタ装置１００は、ケーブル３０とは別のケーブルをさらに備えてもよい。
【００３８】
＜コネクタの構成＞
図１に示すように、回転コネクタ装置１００は、固定体１０側のコネクタ５０と、回転体２０側のコネクタ６０と、回転体２０側のコネクタ６６とを備える。ただし、回転体２０側のコネクタ６６は省略されてもよい。
【００３９】
図１及び図２に示すように、コネクタ５０は、内部に第２空間Ｓ２を有し且つ固定体１０に連結している。図２に示すように、コネクタ５０は、カバー５２と、電極５８と、を有する。カバー５２は、図３に示すように、第１カバー部５４と第２カバー部５６とを有する。第１カバー部５４は、図３に示すように、軸方向ＡＤにおいて下方且つ回転軸ＡＸの径方向において第１固定体部１２の外側へ、第１固定体部１２の外周１２ａの一部から延伸している。第２カバー部５６は、軸方向ＡＤにおいて下方且つ回転軸ＡＸの径方向において外周筒部１４０の外側へ、外周筒部１４０の一部から延伸している。第１固定体部１２と第２固定体部１４とが結合し、第１カバー部５４と第２カバー部５６とが結合することで、第２空間Ｓ２が構成される。第２空間Ｓ２は、軸方向ＡＤにおいて下方で開放している。ただし、カバー５２の形状は、これに限らない。例えば、カバー５２は、回転軸ＡＸの径方向において外周筒部１４０から外側へ延伸し且つ回転軸ＡＸの径方向に内部空間を開放させる筒状を有してもよい。
【００４０】
図２に示すように、電極５８は、第２空間Ｓ２においてカバー５２に配置されている。すなわち、電極５８は、カバー５２に覆われている。露出導体部３２は、ケーブル３０の第１端３０ａにおいて被覆材３４から露出する。導体３１の露出導体部３２は、第２空間Ｓ２において電極５８に接続される（図６を参照）。なお、複数の電極５８は、それぞれ端子部を有し、端子部は、移動体の本体に設けられたコントローラに接続されたケーブルの端子と接続される。ただし、端子部は、電極５８と電気的に接続されていればよく、端子部と電極５８は別々に設けられてもよい。
【００４１】
コネクタ６０は、環状部材２００に連結している。コネクタ６０は、電極６２（図４を参照）と、電極６２を覆うカバーを有している。ケーブル３０の第２端３０ｂにおいて被覆材３４から露出する露出導体部３２は、コネクタ６０の電極６２に接続される。
【００４２】
＜ケーブルの配置＞
次に、第２空間Ｓ２から第１空間Ｓ１に亘るケーブル３０の配置について、図５〜図８を用いて説明する。図５は、ケーブル３０の配置を示すための第２固定体部１４の斜視図である。図６は、ケーブル３０の露出導体部３２にかかる引っ張り荷重Ｆ１を示すための、第２固定体部１４の斜視図である。図７は、ケーブル切断部材５００の長さを示すための、第２固定体部１４の断面図である。図８は、ケーブル３０の接触部３６にかかるせん断荷重Ｆ２を示すための、第２固定体部１４の断面図である。ただし、図７及び図８に示す断面図は、回転軸ＡＸに直交する方向において第２固定体部１４を断面した図である。
【００４３】
図５及び図８に示すように、ケーブル３０は、折り曲げられた状態で、第２空間Ｓ２から第１空間Ｓ１に延伸するように、コネクタ５０及び固定体１０に配置される。具体的には、図５及び図６に示すように、第１端３０ａにおいてケーブル３０が延びる方向と、コネクタ５０の電極５８が延びる方向とが一致した状態で、露出導体部３２と電極５８とは接続される。この接続は、例えば、圧着又ははんだを介した接合で実現される。ただし、図５に示す例では、電極５８が延びる方向は、軸方向ＡＤに沿っているが、これに限らない。
【００４４】
図５〜図８に示すように、コネクタ５０は、ケーブル３０を第２空間Ｓ２において切断するために、ケーブル切断部材５００を第２空間Ｓ２に備えている。ケーブル切断部材５００は、第２カバー部５６に覆われている。より具体的には、第２カバー部５６は、第１壁５６０と第２壁５６２と第３壁５６４と、を備えている。第１壁５６０は、回転軸ＡＸに直交する方向において外周筒部１４０から外側へ延伸している。第２壁５６２は、回転軸ＡＸに直交する方向において外周筒部１４０から外側へ延伸している。第３壁５６４は、回転軸ＡＸの周方向に延伸し且つ第１壁５６０と第２壁５６２とを接続している。これにより、外周筒部１４０、第１壁５６０、第２壁５６２、及び第３壁５６４で囲まれた空間が構成される。この空間は、第２空間Ｓ２の一部である。外周筒部１４０は壁部１４０とも称し得る。壁部１４０は、ケーブル切断部材５００と間隔を空けて配置されている。壁部１４０は、回転軸ＡＸに対してケーブル切断部材５００の径方向内側に配置されている。
【００４５】
図５〜図８に示すように、ケーブル切断部材５００は、軸方向ＡＤに沿って延伸する壁形状を有する。ケーブル切断部材５００は、回転軸ＡＸの周方向に沿う延伸方向ＥＤ（図７を参照）において、第１壁５６０から延伸する。ただし、ケーブル切断部材５００は、ケーブル３０の配策経路Ｒを設けるために、延伸方向ＥＤにおいて、第２壁５６２まで到達していない。また、延伸方向ＥＤは、回転体２０の回転によってケーブル３０が第２空間Ｓ２から第１空間Ｓ１に引っ張られる引っ張り方向と反対方向に沿っている。このように、ケーブル切断部材５００が延伸する延伸方向ＥＤを設ければ、後述するせん断荷重Ｆ２を大きくすることができる。
【００４６】
延伸方向ＥＤにおけるケーブル切断部材５００の長さＬは、回転体２０の回転によってケーブル３０が引っ張られたときに、延伸方向ＥＤにおけるケーブル切断部材５００の先端５１０とケーブル３０とが接触するように、設けられる。例えば、図７に示すように、ケーブル切断部材５００の長さＬは、ケーブル切断部材５００が仮想線ＩＬと交差するように、設けられる。ただし、仮想線ＩＬは、コネクタ５０の電極５８と、開口ＯＰとを接続する。開口ＯＰは、外周筒部１４０に設けられ、第２空間Ｓ２を第１空間Ｓ１に開口する。長さＬは、後述するせん断荷重Ｆ２を大きくするために、大きければ大きいほうが好ましい。
【００４７】
例えば、長さＬは、延伸方向ＥＤにおける第３壁５６４の長さの１／４以上である。例えば、長さＬは、回転軸ＡＸの径方向における第１壁５６０の長さ以上である。ただし、長さＬは、これらに限らない。
【００４８】
配策経路Ｒは、図７に示すように、経路Ｒ１と経路Ｒ２と経路Ｒ３とを含んでいる。経路Ｒ１は、延伸方向ＥＤにおいて第１壁５６０からケーブル切断部材５００の先端５１０に向かう。経路Ｒ１は、回転軸ＡＸの径方向においてケーブル切断部材５００と第３壁５６４との間に設けられる。経路Ｒ２は、延伸方向ＥＤにおけるケーブル切断部材５００の先端５１０を回り込む。経路Ｒ２は、延伸方向ＥＤにおいて先端５１０と第２壁５６２との間に設けられる。経路Ｒ３は、延伸方向ＥＤの反対方向において先端５１０から第１壁５６０へ向かう。経路Ｒ３は、回転軸ＡＸの径方向において外周筒部１４０とケーブル切断部材５００との間に設けられる。つまり、配策経路Ｒの少なくとも一部は、ケーブル切断部材５００と壁部１４０との間に設けられている。
【００４９】
図５に示すように、ケーブル３０は、配策経路Ｒに沿うために、２度折られた状態で、第２空間Ｓ２に配置される。具体的には、ケーブル３０は、第２空間Ｓ２において、軸方向ＡＤに沿って第１端３０ａから上方に延伸し、延伸方向ＥＤに沿って延伸し、先端５１０で折り返され、延伸方向ＥＤと反対方向に延伸する。ただし、ケーブル３０が折られることは必須ではなく、ケーブル３０は、配策経路Ｒに沿うために、２度曲げられるだけであってもよい。ケーブル３０は、開口ＯＰを通過して第２空間Ｓ２から第１空間Ｓ１へ延伸する。そして、ケーブル３０は、内周筒部２１０に設けられた開口を通過し、第２端３０ｂはコネクタ６０に接続される。
【００５０】
回転体２０が固定体１０に対して制限回転角度以上回転すると、ケーブル３０が過度に引っ張られる。本実施形態では、ケーブル３０は、回転体２０の回転によって過度に引っ張られたときに、電極５８に接続された露出導体部３２が断線する前に（断線しないように）ケーブル切断部材５００によって切断されるように構成されている。
【００５１】
より具体的には、ケーブル３０が引っ張られると、図６に示すように、第１端３０ａにおいてケーブル３０の露出導体部３２には、軸方向ＡＤに沿って上方に引っ張り荷重Ｆ１がかかる。図８に示すように、ケーブル３０の接触部３６は、第２空間Ｓ２において先端５１０と接触し、引っ張り方向と反対方向に接触部３６にせん断荷重Ｆ２がかかる。本実施形態では、露出導体部３２を電極５８から外すための引っ張り荷重Ｆ１は、接触部３６でケーブル３０を切断するためのせん断荷重Ｆ２より大きい。ケーブル切断部材５００は、ケーブル３０が曲げられた状態で第２空間Ｓ２に収容されるように設けられている。
【００５２】
本実施形態では、３本の露出導体部３２が３個の電極５８に接続されている。従って、引っ張り荷重Ｆ１は、１本の露出導体部３２を１個の電極５８から外すための引っ張り荷重の３倍の値となる。
【００５３】
回転体２０の回転によってケーブル３０が過度に引っ張られると、ケーブル３０は、電極５８に接続された露出導体部３２が断線せずに、接触部３６で切断される。これにより、第１端３０ａにおいて被覆材３４から露出する露出導体部３２が、例えば、第２空間Ｓ２において、電極５８以外の電極に接触することが抑制される。また、例えば、第１端３０ａにおいて被覆材３４から露出する露出導体部３２が、ケーブル３０以外の他のケーブルの導体と短絡することが抑制される。
【００５４】
また、引っ張り荷重Ｆ１とせん断荷重Ｆ２とを調整するだけでよいので、単純な構造で、ケーブル３０を接触部３６で切断することができる。ただし、ケーブル３０を切断するためのケーブル切断部材５００の構造は、図５〜図８に示すものに限らない。
【００５５】
＜ケーブル切断部材の変形例＞
図９は、ケーブル切断部材５００の変形例に係るケーブル切断部材５００Ａを示すための、第２固定体部１４の断面図である。ケーブル切断部材５００Ａは、延伸方向ＥＤにおける先端５１０Ａが鋭角形状を有している。従って、ケーブル３０は、接触部３６において切断されやすい。
【００５６】
＜ケーブルの変形例＞
図１０は、ケーブル３０の変形例に係るケーブル３０Ａの構成を示す図である。図１０に示すように、ケーブル３０Ａは、接触部３６において切り込み３６Ａを有する点において、図４に示すケーブル３０と相違する。
【００５７】
図１０に示すように、切り込み３６Ａは、ケーブル３０Ａの厚み方向において被覆材３４を切り込む。図１０に示す例では、複数の切り込み３６Ａが、ケーブル３０Ａの幅方向ＷＤに沿って設けられている。ただし、ケーブル３０Ａの厚み方向とは、ケーブル３０Ａの平坦な面に直交する方向である。ケーブル３０Ａの幅方向ＷＤとは、ケーブル３０Ａが延びる方向及びケーブル３０Ａの厚み方向に直交する方向である。図１０に示すように、複数の切り込み３６Ａは、複数の導体３１を避けるように設けられている。
【００５８】
ケーブル３０Ａは、複数の切り込み３６Ａが設けられているので、接触部３６でケーブル切断部材５００によって切断されやすい。
【００５９】
なお、本願においては、「備えている」およびその派生語は、構成要素の存在を説明する非制限用語であり、記載されていない他の構成要素の存在を排除しない。これは、「有している」、「含んでいる」およびそれらの派生語にも適用される。
【００６０】
本願において、「第１」や「第２」などの序数は、単に構成を識別するための用語であって、他の意味（例えば特定の順序など）は有していない。例えば、「第１要素」があるからといって「第２要素」が存在していることを暗に意味しているわけではなく、また「第２要素」があるからといって「第１要素」が存在していることを暗に意味しているわけではない。
【００６１】
また、本開示における「平行」「直交」および「一致」の表現は、厳密に解釈されるべきではなく、「実質的な平行」「実質的な直交」および「実質的な一致」の意味をそれぞれ含む。また、その他の配置に関する表現も、厳密に解釈されるものではない。
【００６２】
また、本開示における「Ａ及びＢの少なくとも一方」の表現は、次の３つの場合のいずれも含むものとする。（ｉ）Ａだけを含む、（ｉｉ）Ｂだけを含む、（ｉｉｉ）Ａ及びＢの両方を含む。
【００６３】
上記の開示内容から考えて、本発明の種々の変更や修正が可能であることは明らかである。したがって、本発明の趣旨を逸脱しない範囲で、本願の具体的な開示内容とは別の方法で本発明が実施されてもよい。
【符号の説明】
【００６４】
１００                      ：回転コネクタ装置
１０                        ：固定体
２０                        ：回転体
３０                        ：ケーブル
３１                        ：導体
３２                        ：露出導体部
５０                        ：コネクタ
５８                        ：電極
５００                      ：ケーブル切断部材
【図１】
2020071496.tif 000003
【図２】
2020071496.tif 000004
【図３】
2020071496.tif 000005
【図４】
2020071496.tif 000006
【図５】
2020071496.tif 000007
【図６】
2020071496.tif 000008
【図７】
2020071496.tif 000009
【図８】
2020071496.tif 000010
【図９】
2020071496.tif 000011
【図１０】
2020071496.tif 000012
【国際調査報告】
2020071496.tif 000013
2020071496.tif 000014
2020071496.tif 000015
2020071496.tif 000016